(57)【要約】【課題】医療品の滅菌効果の有効期限や使用期限が切れているにもかかわらず、資材室やナースステーションに眠っていて、多額の費用を無駄にすることや、誤って使用期限が切れている医薬を患者に投与する危険性があるなどの問題を解決する手段を提供する。【解決手段】医療品の情報をコード化したＩＣタグを読取るＩＣタグ読取装置が、病院内に複数の場所に設置されている。また、ホストコンピュータを備え、これらのＩＣタグ読取装置がこのホストコンピュータと通信回線で接続されている。そして、前記ＩＣタグのコードには、前記医療品の使用期限、医療品の滅菌効果の有効期限の情報が記録されている。前記ＩＣタグ読取装置は、さらに、現在の日付が、前記医療品の使用期限または前記医療品の滅菌効果の有効期限までの期間が予め定めた期間以下になった場合には（Ｓ５４）、所定の警告を出力する警告出力機能（Ｓ５５）を備えている。【選択図】図１０
2007106557.tif 000002
【特許請求の範囲】
【請求項１】
個々の医療品に付属したＩＣタグであって、該医療品の情報をコード化したＩＣタグを読取るＩＣタグ読取装置を備えた病院内医療品追跡用装置が、病院内の複数の場所に設置され、または移動可能に配置されるとともに、ホストコンピュータを備え、これらの病院内医療品追跡用装置が前記ホストコンピュータと通信回線で接続された病院内医療品追跡システムにおいて、
前記ＩＣタグのコードには、前記医療品の使用期限または医療品の滅菌効果の有効期限の情報が記録されており、
前記病院内医療品追跡用装置は、現在の日付が、前記医療品の使用期限または前記医療品の滅菌効果の有効期限までの期間が予め定めた期間以下になった場合、またはこれらの期限を過ぎている場合には、所定の警告を出力する警告出力手段を備えている病院内医療品追跡システム。
【請求項２】
請求項１記載の病院内医療品追跡システムに用いる前記病院内医療品追跡用装置は、ナースステーションに設置する備品用ラックであって、
該備品用ラックは、
前記ＩＣタグ読取装置と、医療品取扱者のデータを入力する取扱者入力機能と、を有しているデータ読取部と、
前記ＩＣタグ読取装置が前記ＩＣタグを読取ることにより、前記医療品の出し入れする情報を監視する出入れ監視手段と、
前記医療品の格納部の扉の開閉を電磁的にロックする電磁ロックと、を備え、
前記電磁ロックは、前記データ読取部に医療品取扱者のデータが入力されない場合には、前記扉の開閉を電磁的にロックする。
【請求項３】
請求項１記載の病院内医療品追跡システムに用いる前記病院内医療品追跡用装置は、医療品ピッキング用カートであって、
該医療品ピッキング用カートは、
医療品を入れるかごを有する手押し車と、
前記手押し車に取り付けられ、医療品が正しく入れられたかをチェックする医療品チェック装置と、を備え、
前記医療品チェック装置は、
前記医療品のデータを表示する表示器と、
前記ＩＣタグ読取装置と、
当該ＩＣタグ読取装置が前記ＩＣタグを読取ることにより、前記かごに前記医療品が入れられたか、および出されたかを判断する出入れ監視手段と、
前記表示器に前記ＩＣデータから読取った情報を出力する表示器出力手段と、
予め入力されているオーダデータとの異同を判断し、誤っている場合には、所定の警告を出力するチェック手段と、を備える。
【発明の詳細な説明】
【技術分野】
【０００１】
この発明は、病院内の医療品が現在どこに管理されているか、使用されているかなどを管理する医療品追跡システムに関する。
【背景技術】
【０００２】
従来、病院内の医療品の管理は、バーコード等で管理されることが行われていた。
【０００３】
しかし、バーコードによる管理は、その読取装置を紙に表示されたバーコードにそれぞれ当てて検査することが前提であり、常に人的要素が介在し、自動管理ができない。また、その管理には、相当のスキルを必要としていた。
【０００４】
そこで、ＩＣタグを用いて病院内の医療品を管理するシステムについて、文献が開示されている（特許文献１〜２）。これらのシステムは、ＩＣタグを用いており、これによりＩＣタグの読取装置とＩＣタグとの距離が離れていても、複数のＩＣタグのデータを同時に読取ることができるので、バーコードを当てて検査する必要性がなく、前述の自動管理の面で優れている。
【０００５】
特許文献１には、病院内に完結するシステムとして、ＩＣタグとして、オーダそれぞれ、ナースそれぞれ、患者それぞれに付して、薬剤部やナースステーションにＩＣタグを読取るチェックユニットとを設けて、薬剤部での医薬品のピッキングの際には、パーコードで読み出しつつ、ＩＣタグの情報と照合するシステムが開示されている。
特許文献２には、輸血バッグ等の医療品が製薬会社から送られるときに、ＩＣが付着されていて製薬会社、流通会社、病院内に前記チェックユニットに相当するものが置かれ、インターネットで管理センターとつながれているシステムが開示されている。
【特許文献１】特開２００２−２６９２３４号公報
【特許文献２】特開２００３−０９５４４０号公報
【発明の開示】
【発明が解決しようとする課題】
【０００６】
しかしながら、前述の特許文献１、２には、医療品の滅菌効果の有効期限、または使用期限をどのように処理するかについては、なんら記載されていない。実際の医療現場では、医療品の滅菌効果の有効期限や使用期限が切れているにもかかわらず、資材室やナースステーションに眠っていて、多額の費用を無駄にすることがあった。また、誤って使用期限が切れている医薬を患者に投与する危険性があるなどの問題があった。
【０００７】
そこで、本発明は、係る問題を解決することを目的とする。
【課題を解決するための手段】
【０００８】
この発明は、上記課題を解決するため、以下の構成を備えている。
【０００９】
（１）本発明は、
個々の医療品に付属したＩＣタグであって、該医療品の情報をコード化したＩＣタグを読取るＩＣタグ読取装置を備えた病院内医療品追跡用装置が、病院内の複数の場所に設置され、または移動可能に配置されるとともに、ホストコンピュータを備え、これらの病院内医療品追跡用装置が前記ホストコンピュータと通信回線で接続された病院内医療品追跡システムにおいて、
前記ＩＣタグのコードには、前記医療品の使用期限または医療品の滅菌効果の有効期限の情報が記録されており、
前記病院内医療品追跡用装置は、現在の日付が、前記医療品の使用期限または前記医療品の滅菌効果の有効期限までの期間が予め定めた期間以下になった場合、またはこれらの期限を過ぎている場合には、所定の警告を出力する警告出力手段を備えていることを特徴とする。
【００１０】
このように構成すれば、ＩＣタグのコードには、前記医療品の滅菌効果の有効期限または前記医療品の使用期限の情報が記録されているから、ＩＣタグ読取装置が、その周囲にあるＩＣタグを付した医療品についてすべて同時に期限を読取ることができ、現在の日付と照合することで管理することができる。この管理をするために、逐一人間が医療品に読取装置を近づける必要がないから、人間が意識的に管理する必要がなく、前記システムが自動的に行うことができる。そして、前記警告出力手段は、前記期限までの期間が予め定めた期間以下になった場合やこれらの期限を過ぎている場合には、警告信号を出すことができる。例えば、部外の警告装置に警告信号を出力したり、前記ホストコンピュータに送信したり、または、前記病院内医療品追跡用装置がその表示器に警告を表示したり、ブザーを鳴らしたりすることができる。したがって、前記医療品の滅菌効果の有効期限や医薬品の使用期限が切れてしまって、多額の費用を無駄にしたり、誤って使用期限が切れている医薬を患者に投与したりする危険性を未然に防止することができる。
【００１１】
なお、前記予め定めた期間は、数日前、１週間前、数週間前、０日等任意に設定できる。また、前記日付は、ＩＣタグ読取装置に備えた時計により、または前記ホストコンピュータとの通信により、取得するものである。
また、前記病院内医療品追跡用装置は、物理的にＩＣタグ読取装置と同一筐体であってもよく、前記病院内医療品追跡用装置の内部にＩＣタグ読取装置の機能を備えるものでも良い。
【００１２】
（２）本発明は、
（１）の構成の病院内医療品追跡システムに用いる前記病院内医療品追跡用装置は、ナースステーションに設置する備品用ラックであって、
該備品用ラックは、
前記ＩＣタグ読取装置と、医療品取扱者のデータを入力する取扱者入力機能と、を有しているデータ読取部と、
前記ＩＣタグ読取装置が前記ＩＣタグを読取ることにより、前記医療品の出し入れする情報を監視する出入れ監視手段と、
前記医療品の格納部の扉の開閉を電磁的にロックする電磁ロックと、を備え、
前記電磁ロックは、前記データ読取部に医療品取扱者のデータが入力されない場合には、前記扉の開閉を電磁的にロックすることを特徴とする。
【００１３】
このように構成すれば、前記電磁ロックにより、ナースステーションにおいて、前記医療品を取扱った医療品取扱者が誰であるかを逐一記録できる。また、前記ＩＣタグ読取手段により、前記医療品の出し入れする情報を監視する出入れ監視手段を有しているから、ＩＣタグにかざすことなく、自動的に前記備品用ラックの中身や、前記医療品の滅菌効果の有効期限や医薬品の使用期限を管理することができる。また、前記ＩＣタグ読取装置は、前記（１）の構成の特徴を備えているから、備品用ラックの中に、医療品の使用期限または医療品の滅菌効果の有効期限が迫っている医療品がある場合には、前記警告を出力することが可能である。
【００１４】
なお、前記取扱者入力機能は、取扱者が携帯するＩＣタグをＩＣタグ読取装置に読取るものであっても良く、操作部を備えてそこからキー入力したり、ＩＣカードを通して入力したりするものであっても良い。
また、出入れ監視手段は、例えば本発明の前記備品用ラックの全体的な動作を制御するＣＰＵ、または当該動作を実施する動作プログラムの１機能として構成可能である。
【００１５】
（３）本発明は、
（１）の構成の病院内医療品追跡システムに用いる前記病院内医療品追跡用装置は、医療品ピッキング用カートであって、
該医療品ピッキング用カートは、
医療品を入れるかごを有する手押し車と、
前記手押し車に取り付けられ、医療品が正しく入れられたかをチェックする医療品チェック装置と、を備え、
前記医療品チェック装置は、
前記医療品のデータを表示する表示器と、
前記ＩＣタグ読取装置と、
当該ＩＣタグ読取装置が前記ＩＣタグを読取ることにより、前記かごに前記医療品が入れられたか、および出されたかを判断する出入れ監視手段と、
前記表示器に前記ＩＣデータから読取った情報を出力する表示器出力手段と、
予め入力されているオーダデータとの異同を判断し、誤っている場合には、所定の警告を出力するチェック手段と、を備えることを特徴とする。
【００１６】
このように構成すれば、医療品を資材室で必要なものをピッキングして、ナースステーションへ運搬する際に、医療品チェック装置により、医療品が正しく入れられたかをチェックすることができる。また、ＩＣタグ読取装置は、前記（１）の構成であるから、ＩＣタグにかざすことなく前記備品用ラックの中身や、前記医療品の滅菌効果の有効期限や医薬品の使用期限を自動的に管理することができる。また、医療品ピッキング用カートは、前記（１）の構成の特徴を備えているから、カートの中に医療品の使用期限または医療品の滅菌効果の有効期限が迫っている医療品を入れた場合には、前記警告を出力することが可能である。
【００１７】
なお、医療品ピッキング用カートの前記所定の警告は、前記（１）の構成と同様である。また、表示器は、液晶表示器の他、少なくとも文字を表示できるものであり、医療品ピッキング用カートであればどのようなものでもよい。
また、前記「オーダデータ」とは、例えば、医者の処方箋である等の患者それぞれに必要な医療品のセット、または、ナースステーションで必要な備品の集合であって、本発明のカートで、ピッキングすべき医療品セットのデータである。
また、出入れ監視手段、表示器出力手段、チェック手段は、例えば、本発明の前記医療品ピッキング用カートの全体的な動作を制御するＣＰＵ、または当該動作を実施する動作プログラムの１機能として構成可能である。
【発明の効果】
【００１８】
この発明によれば、ＩＣタグ読取機により、医療品を取り出すことなく、自動的に医療品の滅菌効果の有効期限や医薬品の使用期限を管理できるから、このような期間が過ぎてしまって、多額の費用を無駄にしたり、誤って使用期限が切れている医薬を患者に投与したりする危険性を未然に防止することができる。
【発明を実施するための最良の形態】
【００１９】
図１を用いて、本実施形態の病院内医療品追跡システムに係る医療品の流通について、簡潔に説明する。図１は、本実施形態のシステムに係る医療品の流通に関係する主な場所における役割を表した図を示す。図１（Ａ）、（Ｂ）、（Ｃ）、（Ｄ）のように、医療品の流通に関係する主な場所は、病院を中心として、管理センター１、納入業者２、中央資材室３、ナースステーション４である。管理センター１では、病院内部の要請により、オーダ受付１１を行って、納入業者２に発注処理１３を行う。納入業者２は、管理センター１の発注に応じて受注処理２１を行い、医療品の発送処理２３を行う。中央資材室３では、納入業者２により発送された医療品を確認して、中央資材室３への入庫３１を行う処理を行い、備品棚へのストック３３を行う。また、中央資材室３でストックされた備品は、カートによるピッキング＆収集３５がなされる。このピッキングは、ナースステーション４の求めに応じて、所定の備品を備品棚３３１（後述、図４参照。）から取り出す作業である。そして、この備品が、ナースステーションへの搬送３７が行われる。また、中央資材室３では、不足分の発注３８の依頼を管理センター１に対して行い、管理センター１によりそのオーダ受付１１を行う。ナースステーション４では、中央資材室３からナースステーションへの搬送３７が行われた備品について、ラックへの収納４１を行う。収納４１がされた備品は、必要に応じてラックから取り出し４４を行って使用する。そして、医療品を使用した場合には精算４８すべきことを管理センター１に伝達する（図示省略。）。また、医療品の不足分は、不足分の発注４９の依頼を管理センター１に対して行う。
【００２０】
以下、図２〜図７を用いて、図１で示した場所において、本実施形態の病院内医療品追跡システムの医療品の追跡手段について、詳しく説明する。
【００２１】
まず、図２を用いて、管理センター１における処理を説明する。図２は、本実施形態の病院内医療品追跡システムの医療品の追跡手段について、管理センター１における処理を示す。図２に示すように、管理センター１内の処理は、病院内からのオーダ受付１１と、そのオーダの内容をＩＣに書き込むＩＣタグ書き込み１２と、納入業者２に対しての発注処理１３を含んでいる。オーダ受付１１では、病院内から無線ＬＡＮ１０１等通信回線により受注データ１１２を受け付けて、そのデータがホストコンピュータ１０に格納される。次に、ＩＣタグ書き込み１２では、未登録ＩＣタグ５Ａを前述の受注データ１１２に基づいて、各アイテムごと、例えば注射器１本または複数本単位について、それぞれ未登録ＩＣタグ５ＡをＩＣタグ書き込み装置１２１により、データの登録をする。そして、未登録ＩＣタグ５Ａにデータを書き込むと登録済みＩＣタグ５Ｂができる。このデータは、その構造が後述する図９のような構造となっており（詳細は後述する。）、これらの医療品を追跡管理するのに都合が良いようなデータ構造を備えている。発注処理１３では、ホストコンピュータ１０が納入業者２に対して発注データの送信１３１を、電気通信回線を通じて予約送信するとともに、発注書の発行１３２をプリンタで行い、ＩＣタグ書き込み１２でデータ登録されたＩＣタグ５Ｂを発注用封筒１３３に入れて、納入業者に対して送付する。
【００２２】
なお、図２で示したホストコンピュータ１０は、本発明の「ホストコンピュータ」に相当する。
また、上述の実施形態のシステムでは、発注用封筒１３３を用いたが、納入業者２が毎日病院に来るような実施形態では、発注用封筒１３３の代わりにファックス、メールを用いて自動的にまたは手動で発注し、登録済みＩＣタグ５Ｂは、納入業者２に手渡しで行なってもよい。または、登録済みＩＣタグ５Ｂを病院の事務員が渡すのではなくて、納入業者２が病院でライターを借りて未登録ＩＣタグ５Ａにデータを書き込みしてから貼り付けて納める形態も考えられる。さらに、送信された発注書を見て、仲買業者が所有する書き込み装置を用いてデータ書き込みしたタグを貼り付けて納品してもよい。この場合は、この業者が未登録ＩＣタグ５Ａを必要分所有している必要がある。
【００２３】
次に、図３を用いて、納入業者２における処理を説明する。図３は、本実施形態の病院内医療品追跡システムの医療品の追跡手段について、納入業者２における処理を示す。図３に示すように、納入業者２の処理は、受注処理２１と、ＩＣタグ組み付け＆包装＆梱包２２と医療品の発送２３という段階を含んでいる。受注処理２１では、納入業者２は、病院内の管理センター１から送られた発注用封筒１３３から登録済みＩＣタグ５Ｂを取り出して、発注書２１１を確認し、受注した医療品を収集する。そして、ＩＣタグ組み付け＆包装＆梱包２２では、受注した医療品、例えば注射器２２２と、登録済みＩＣタグ５Ｂとを区分けした包装袋２２１をセットとして、ＩＣタグを組み付けて包装して、これを所定の箱ごと（例えば、複数の注射器のセットなど。後述図４の備品８１に相当する。）に包んで、梱包箱８に梱包する。その後、納入業者２は、梱包箱８をトラック３１１に積んで、病院へ運送する。
【００２４】
なお、図３の実施形態のシステムの応用的な実施例として、包装袋２２１を用いずに、医療品の箱にそのまま登録済みＩＣタグ５Ｂを貼り付けても良い。
【００２５】
次に、図４を用いて、中央資材室３における入庫処理を説明する。図４は、本実施形態の病院内医療品追跡システムの医療品の追跡手段について、中央資材室３における入庫処理を示す。この処理は、図４に示すように、中央資材室への入庫３１と、ＩＣタグ読取３２と、備品棚へのストック３３の段階を含んでいる。中央資材室への入庫３１では、納入業者２から運送された梱包箱８を中央資材室３に搬送する。そして、ＩＣタグ読取３２では、ＩＣタグ読取装置３２２と梱包箱８との間で読取信号の送受信３２１を行って、ＩＣタグ読取装置３２２は梱包箱８の中身を同時に読取る。この読取ったデータは、無線ＬＡＮ３２３やケーブル等の通信回線を通じてホストコンピュータ１０に送られる。その後、備品棚へのストック３３では、梱包箱８を開いてその中身を所定の備品棚３３１へ格納する。
【００２６】
なお、図４で示したＩＣタグ読取装置３２２は、本発明の「病院内医療品追跡用装置」に相当するとともに、「ＩＣタグ読取装置」の機能を備える。即ち、図４のＩＣタグ読取装置３２２は、単にＩＣタグを読取るだけでなく「病院内医療品追跡用装置」としての機能の機能を備え、無線ＬＡＮ３２３や、後述図１０で説明する機能を備える概念である。
また、図４で示した実施形態のシステムの応用的形態として、備品棚へのストック３３を行なわずに、そのまま、納入業者２が、ナースステーション４や、医療現場に搬入する実施形態も可能であり、この場合には病院の事務員による検品後、直ちに医療現場へ搬入する実施形態も考えられる。この場合には、トラック３１１で運ばれた医療資材について、ＩＣタグ読取３２、読取信号の送受信３２１等の入庫処理を、中央資材室で行なわずに、管理センター１で行なう方が都合が良い場合もありうる。
【００２７】
次に、図５を用い、図１１を間接的に参照しつつ、中央資材室３におけるピッキング処理を説明する。まず、図５は、本実施形態の病院内医療品追跡システムの医療品の追跡手段について、中央資材室３におけるピッキング処理を示す。この処理は、前述のように、ナースステーション４の求めに応じて、患者ごとに必要な医療品を１セットとして備品棚３３１から収集し、またはナースステーション４で消耗する備品群を備品棚３３１から収集する段階である。この処理は、カートによるピッキング＆収集３５と、ＩＣタグ読取＆照合３６の作業からなる。ただし、これらカートによるピッキング＆収集３５は、ＩＣタグ読取＆照合３６を行いつつ、確認しながら行うので、必ずしも２つの段階に分けることはできない。以下の図５の説明においては、ラックの構成、機能の説明を通じて、これらの段階を説明する。
【００２８】
図５上段の図を用いて、カート６の構成について説明する。図５上段の図のように、カート６は、かご６２と、ＩＣタグ読取装置６４と、液晶表示器６１と、管理センター１のホストコンピュータ１０と通信するための無線ＬＡＮ６５と、これらを載せる台車６３とを備えている。また、図５には図示しないが、ＣＰＵを有する図示しない制御装置と、操作部と、警報機を備えている（後述、図１１参照。）。
【００２９】
図１１を用いて、カート６の内部構成について説明する。図１１は、本システムのカート、整理棚の内部構成図を示す。カート６の内部には、タッチパネル等で構成する操作部６７と、この操作部６７の入力に基づいて各部を制御する制御装置６６とを備えている。カート６の制御装置６６は、カート６の電気的動作全般を制御している。制御装置６６は、さらに、前記かごに前記医療品が入れられたか、および出されたかを判断する出入れ監視機能６６１と、前記表示器に前記ＩＣデータから読取った情報を出力する表示器出力機能６６２を備えている。また、制御装置６６は、予め入力されているオーダデータとの異同を判断し、誤っている場合には、所定の警告を出力するチェック機能６６３とを備えている。また、制御装置６６は、備品棚３３１の位置を画像で指示し誘導する誘導機能６６４を備えている。
【００３０】
同じく図１１に示すように、出入れ監視機能６６１は、ＩＣタグ読取装置６４に指示して、医療品に付属のＩＣタグと通信するようにして、かご６２の中身をＩＣタグ読取装置６４から受け取り監視する。また、表示器出力機能６６２は、出入れ監視機能６６１が監視した内容を液晶表示器６１に表示するよう制御する。また、チェック機能６６３は、操作部６７から入力した前述のオーダデータと、出入れ監視機能６６１が把握しているかご６２の中身と比較して、誤っている場合には、警報機６８に警報音を鳴らすとともに、液晶表示器６１にその旨警告する。
【００３１】
また、同じく図１１に示すように、誘導機能６６４は、液晶表示器６１に、操作部６７から所定のオーダデータの入力、例えば、ある患者について投与すべき医師の処方箋のデータを与えた場合には、ピックアップすべき品目が表示されるようにし、備品棚３３１の位置を画像で指示し誘導する。
【００３２】
また、図１１に示すように（図５には図示しない。）、備品棚３３１には、無線ＬＡＮ３３１Ａと、制御装置３３１Ｂと、棚それぞれに設けたランプ＆ブザー３３１Ｃとを備えている。カート６の操作部６７に探したい備品を選択して近接した場合には、そのデータは、備品棚３３１の無線ＬＡＮ３３１Ａに伝達される。備品棚３３１の制御装置３３１Ｂが、図示しない記憶部を参照して、数ある備品棚３３１の中から、目標となる備品棚３３１の位置の棚にあるランプ＆ブザー３３１Ｃで、ランプを点灯し、警告音を鳴らす。
【００３３】
なお、このオーダデータの入力は、本発明の「オーダデータの入力」に相当する。
【００３４】
次に、図５を用い、図１１を間接的に参照しつつ、これらのカート６の機能について説明する。カートによるピッキング＆収集３５では、カート６に、備品棚３３１にある備品８１（医療品を複数集合した箱）を載せていく。前述のように、誘導機能６６４（図１１参照。）を備えているから、容易に備品８１の位置を捜索することができる。さらに、備品棚３３１にも、前述した制御装置３３１Ｂ、ランプ＆ブザー３３１Ｃ（図１１参照。）を備えており、これにより医療品取扱者を誘導する機能を備えているから、容易に備品８１の位置を捜索することができる。
【００３５】
図５のＩＣタグ読取＆照合３６の段階では、備品８１の中には、前述した納入業者２によりＩＣタグ５Ｂと組み付けられた医療品が入っており、図５下段の図のように、ＩＣタグ読取装置６４は、制御装置６６の出入れ監視機能６６１による制御の下（図１１参照。）、ＩＣタグ５Ｂと読取信号の送受信３６１を行って、そのデータを読取り、照合をすることができる。そして、かご６２に入れた医療品は、前記表示器出力機能６６２（図１１参照。）により、液晶表示器６１に表示される。
【００３６】
図５のかご６２に入れたものが間違いである場合には、前記チェック機能６６３により、液晶表示器６１に警告表示を出力するとともに、音声で警告音を鳴らす。これにより、かご６２に入れたものが間違いである場合には、直ちに誤りであることが確認できる。また、ＩＣタグ読取装置６４による照合はリアルタイムで常に行うようにし、カート６に間違って入れた備品８１を、かご６２からつまみ出した場合にも、その旨が検知され、その検知された備品８１が液晶表示器６１から消滅するとともに、前述した警告表示や警告音の発生は止まるようにする。
【００３７】
そして、図５の積み出された備品８１のデータは、予めカート６の操作部６７（図５には図示しない。図１１参照。）から登録した、カート６を取扱う取扱者のデータとともに、管理センター１のホストコンピュータ１０に、無線ＬＡＮ６５を通じて送信される。管理センター１では、このデータを通信した時刻とともに、ホストコンピュータ１０の図示しない記憶部に格納される。以上、図５の説明の通り、中央資材室３の備品のうち、どの備品が、どのカート６に搬出されたのかを追跡できる。
【００３８】
なお、図５で示したカート６は、本発明の「医療品ピッキング用カート」に相当し、また、「病院内医療品追跡用装置」にも相当する。
ＩＣタグ読取装置６４と、液晶表示器６１と、制御装置６６は、これらを合わせて、本発明の「医療品チェック装置」に相当する。
図１１の「出入れ監視機能６６１」は、本発明の「出入れ監視手段」に相当する。
図１１の「表示器出力機能６６２」は、本発明の「表示器出力手段」に相当する。
図１１の「チェック機能６６３」は、本発明の「チェック手段」に相当する。
図５、図１１の液晶表示器６１は、本発明の「表示器」に相当する。
【００３９】
図１１の制御装置６６と、ＩＣタグ読取装置６４、液晶表示器とを合わせて、本発明の「医療品チェック装置」に相当する。
【００４０】
図１１の警報機６８は、本発明の「チェック手段」の「所定の警告を出力する」対象物に相当する。
【００４１】
次に、図６を用いて、ナースステーション４におけるナースステーションにおける備品の収納、取り出し処理４０について説明する。図６は、本実施形態の病院内医療品追跡システムの医療品の追跡手段について、ナースステーション４における備品の収納、取り出し処理を示している。この処理は、ラックへ収納４１と、ラックから取り出し４４の段階に分かれる。そして、これらの段階は、主として、前述のカート６と、ナースステーション４に設置する備品用ラック７を用いる。以下の図６の説明においては、備品用ラック７の構成、機能の説明を通じて、これらの段階について説明する。
【００４２】
まず、図６を用いて、図１２を補助的に参照しつつ、ナースステーション４に設置する備品用ラック７の構成を説明する。備品用ラック７の構成は、複数の格納部７２と、格納部７２のそれぞれに付属する扉７１と、この扉７１に備える電磁ロック７８と、ＩＣタグ読取装置７３を有する送受信部７４と、表示器７５と、無線ＬＡＮ７７とを備えている。また、電磁ロック７８は、扉７１の開閉を電磁的にロックする機能を有している。表示器７５は、ＩＣタグ読取装置７３で読取った医療品のデータ等を表示する機能を有している。無線ＬＡＮ７７は、管理センター１のホストコンピュータ１０と通信する機能を有しており、ＩＣタグ読取装置７３で読取った医療品のデータを送信する。また、備品用ラック７は、図６には図示しないが、備品用ラック７のそれぞれの部分の動作を制御する制御装置を内部に備えている（後述図１２参照。）。
【００４３】
次に、図１２を参照して、備品用ラック７の内部構成について説明する。図１２は、本システムに係る備品用ラックの内部構成図を示す。備品用ラック７の内部は、図６で説明した構成の他に、データ読取部７６と制御装置７９とを備えている。データ読取部７６は、ＩＣタグを読取るＩＣタグ読取装置７３を含む送受信部７４だけでなく、操作キー７６２と、取扱者入力機能７６１とを備えている。取扱者入力機能７６１は、操作部７６２から取扱者のデータを入力することができる。この操作部７６２は、キー入力の他に、取扱者のデータが入ったカードを通すことができる。また、取扱者のデータが入ったＩＣタグを取扱者が所持している場合には、取扱者入力機能７６１は、ＩＣタグ読取装置７３から取扱者のデータを取得することができる。
【００４４】
図１２に示すように、制御装置７９は、備品用ラック７の動作全般を制御しており、ＣＰＵなどで構成されるが、本装置は、特に、取扱者チェック機能７９１と、出入れ監視機能７９２と、表示器出力機能７９３を備えている。取扱者チェック機能７９１は、取扱者入力機能７６１に指示して、取扱者のデータを入力するよう指示する。扉７１の開閉をロックする電磁ロック７８は、このデータが入力されるまでロックされており、当該データが入力されるとロックが解除される。出入れ監視機能７９２は、ＩＣタグ読取装置７３で検出されるデータを監視している。そして、そのデータは、表示器出力機能７９３に送られ、表示器７５にそのデータを出力する。また、このデータは無線ＬＡＮ７７で管理センター１のホストコンピュータ１０へ送信される。
【００４５】
以下、図６を用いて、備品用ラック７の機能を説明する。備品用ラック７の使用に当たっては、ラックへ収納４１、ラックから取り出し４４のいずれの段階においても、医療品取扱者のデータを取扱者入力機能７６１（前述、図１２の説明参照。）から入力する。格納部７２の扉７１の電磁ロック７８は、取扱者チェック機能７９１（前述、図１２の説明参照。）により、この医療品取扱者の確認を行ってはじめて開錠する。これにより、医療品取扱者のデータが入力されない限り、備品用ラック７を取扱うことができないから、誰が取扱ったかを把握でき、医療品と医療品取扱者を結びつけることができる。したがって、例えば、危険品が無断で使用されるような事態を未然に防ぐことができる。
【００４６】
また、図６の上段図のように、ラックへ収納４１のときには、送受信部７４の中のＩＣタグ読取装置７３は、中央資材室３からカート６で運んだ備品８１それぞれと読取信号の送受信４１１を行って、備品８１のデータを読取る。これにより、何が格納部７２に格納されるのかを把握できる。また、同時に、カート６においては、カート６のＩＣタグ読取装置６４がカート６から搬出されるのをチェックしている。したがって、カート６がどこに搬送され、どこに備品８１が搬出されたのか、誰が搬出したのかを追跡できる。
【００４７】
さらに、図６の下段図のように、ラックから取り出し４４のときには、送受信部７４の中のＩＣタグ読取装置７３は、備品用ラック７に保管されている備品８１それぞれと読取信号の送受信４４１を行って、備品８２のデータを読取る。これにより、何が格納部７２からカート６に搬出されるのかを把握できる。また、同時に、カート６においては、カート６のＩＣタグ読取装置６４がカート６に搬入されるのをチェックしている。したがって、ナースステーション４の備品がどのカートに搬出されたのかを追跡できる。
【００４８】
以上、図６について説明した通り、ナースステーション４において、医療品の追跡、およびその医療品を取扱った者の追跡が可能となる。そして、その追跡に用いたデータは、表示器出力機能７９３（図１２参照。）により表示器７５に表示される。また、図６で示した段階においては、カート６、備品用ラック７は、いずれも、無線ＬＡＮ６５、７７を用いて管理センター１と通信を行っている。これにより、管理センター１では、このデータが通信した時刻とともに、ホストコンピュータ１０の図示しない記憶部に格納され、時系列的に医療品の移動およびその取扱者を追跡できる。
【００４９】
なお、ラックへ収納４１において、誤った備品８１を収納した場合に、再度取り出すときは、上述のように、ラックから取り出し４４において説明した動作を行う。また、ラックから取り出し４４において、誤った備品８１を搬出した場合に、再度収納するときは、上述のように、ラックへ収納４１において説明した動作を行う。
また、備品用ラック７は、本発明の「備品用ラック」に相当するとともに、本発明の「病院内医療品追跡用装置」に相当する。
【００５０】
また、図６の備品用ラック７の格納部７２は、本発明の「医療品の格納部」に相当する。
図６の電磁ロック７８は、本発明の「電磁ロック」に相当する。
図６の扉７１は、本発明の「扉」に相当する。
図１２のデータ読み取り部７６は、本発明の「データ読取部」に相当する。
図１２の出入れ監視機能７９２は、本発明の「出入れ監視手段」に相当する。
図１２の取扱者入力機能７６１は、本発明の「取扱者入力機能」に相当する。
【００５１】
次に、図７を用いて、ナースステーションにおけるＩＣタグの回収４７について説明する。図７は、本実施形態の病院内医療品追跡システムの医療品の追跡手段について、ナースステーションにおけるＩＣタグの回収処理４７を示している。医療品（即ち、ラックから取り出し４４で搬出した備品８２）を使用すると、図３の包装袋２２１に入っていたＩＣタグ５Ｂは、この袋から切り離されて、使用済みのＩＣタグ５Ｃとして、ナースステーションに設置する回収箱４７１に格納される。そうすると、ナースステーションに設置するＩＣタグ読取装置４７２と、この回収箱４７１に入った使用済みのＩＣタグ５Ｃと読取信号の送受信４７３を行って、使用済みのＩＣタグ５Ｃのデータが読取られる。これにより、どの医療品が使用されたのかを把握できる。そして、ＩＣタグ読取装置４７２に設けた無線ＬＡＮ４７４により、管理センター１へ使用済みのＩＣタグ５Ｃのデータが送信され、使用された医療品のデータがホストコンピュータ１０に格納され、どの医療品が使用されたかを追跡することが可能となる。また、使用済みのＩＣタグ５Ｃのデータにより、図１で説明したように、使用された医療品の精算４８がなされ、図２の管理センター１の発注の送信１３１と同様の手段により、納入業者にそのデータが送信される。また、管理センター１のホストコンピュータ１０は、使用済みのＩＣタグ５Ｃのデータと、中央資材室３に入庫した医療品のデータ（即ち、図４のＩＣタグ読取３２によるデータ。）やナースステーション４に入庫したデータとの差から不足分の統計を行い、図２で説明した発注処理１３の通り、医療品の不足分は、自動的に納入業者２に発注の送信１３１がなされる。
【００５２】
なお、図７の実施形態のシステムの応用的な実施例として、前述、図３の説明の後段のなお書きで述べたように、包装袋２２１を用いずに、医療品の箱にそのまま登録済みＩＣタグ５Ｂを貼り付ける実施例では、この使用済みのＩＣタグ５Ｃを医療品の箱から取り除いて、回収箱４７１に回収する。
また、図７の実施形態のシステムの応用的な実施例として、図７で示したような、医療品の不足分は、自動的に納入業者２に発注の送信１３１をする代わりに、納入業者２に発注の送信１３１を手動で行ってもよい。
【００５３】
次に、図８を用いて、これまで図２〜図７で説明した段階を、以下、まとめて説明する。図８は、本実施形態の病院内医療品追跡システムの医療品の追跡手段について、図２〜図７の処理をまとめたフロー図を示す。
まず、管理センター１における処理Ｓ１１〜Ｓ１３について以下説明する。この処理は、図１（Ａ）、図２のオーダ受付１１から発注処理１３までの処理に相当する。以下、図２を参照しつつ、説明する。
図８のＳ１１において、病院内の各部署から、通信回線を通じて図２のホストコンピュータ１０に送信されたデータによりオーダ受付を行う。また、同じくＳ１１では、前述図７の説明の通り、ホストコンピュータ１０により使用済みのＩＣタグ５Ｃのデータを受信することにより、備品の不足分を管理しているから、この不足分についてもオーダを処理する。
図８のＳ１２において、各ナースステーション４から収集した使用済みのＩＣタグ５Ｃは、未登録ＩＣタグ５ＡとしてＩＣタグ書き込み装置１２１により再利用され（図２参照。）、Ｓ１１で受け付けたオーダ分について、医療品のデータを未登録ＩＣタグ５Ａに登録する。
図８のＳ１３において、ホストコンピュータ１０から、発注の送信１３１がなされるとともに、発注書が発行され、発注書と登録済みＩＣタグ５Ｂが発注用封筒１３３に（図２参照。）入れられて、納入業者２に送付される。
【００５４】
図８の納入業者２における処理Ｓ２１〜Ｓ２３について以下説明する。この処理は、図１（Ｂ）、図３の受注処理２１から医療品の発送２３までの処理に相当する。以下、図３を参照しつつ、説明する。
図８のＳ２１において、管理センター１から送付された発注書２１１の通りに、医療品を収集する。
図８のＳ２２において、登録済みＩＣタグ５Ｂを、医療品と同一の包装袋２２１に組み付けて、梱包箱８に入れて梱包箱８に格納する。
図８のＳ２３において、トラック３１１により、梱包箱８に入れた医療品を発送、納品を行う。
【００５５】
図８の中央資材室３における処理のうちＳ３１〜Ｓ３３について以下説明する。この処理は、図１（Ｃ）上段、図４の中央資材室への入庫３１から備品棚へのストック３３までの処理に相当する。以下、図４を参照しつつ、説明する。
図８のＳ３１において、中央資材室へ医療品が入った梱包箱８を搬送する。
図８のＳ３２において、その中身をＩＣタグ読取装置３２２で登録済みＩＣタグ５Ｂを読取り、そのデータを管理センター１に送信して、ホストコンピュータ１０（図２参照。）が、図示しない記憶部にそのデータを格納する。これにより、どの医療品が中央資材室３に入庫したのかを追跡できる。
その後、図８のＳ３３において、梱包箱８の中身の備品８１（図４の説明参照。）を備品棚３３１に収納する。
【００５６】
また、図８の中央資材室３における処理のうちＳ３４〜Ｓ３５について以下説明する。この処理は、中央資材室におけるピッキング処理を示しており、図１（Ｃ）中段、図５のカートでピッキング＆収集３５からＩＣタグ読取＆照合３６までの処理に相当する。以下、図５を参照しつつ、説明する。
図８のＳ３４において、備品棚３３１に収納した備品８１をカート６でピッキング＆収集を行う。
図８のＳ３５において、カート６では、Ｓ３４とほぼ同時に、ＩＣタグ読取装置６４と読取信号の送受信３６１を行い、何が収集されたかをチェックし、液晶表示器６１に表示する。また、予め入力した収集すべき備品８１のデータと異なっていれば警告表示する（図５の説明参照。）。カート６から出された場合も、備品８１の出入りがリアルタイムでチェックされ、誤った備品８１がつまみ出されると、液晶表示器６１からその備品の表示が消滅し、警告が止まる。
【００５７】
図８のナースステーション４における処理のうちＳ４１〜Ｓ４３について以下説明する。この処理は備品８１の格納作業を示しており、図１（Ｄ）上段、図６のラックへ収納４１の処理に相当する。以下、図６を参照しつつ、説明する。
図８のＳ４１において、図６で説明したように、カート６から出された備品８１は、ナースステーション４に運ばれ、まず、備品用ラック７を取扱う取扱者の確認を行う。即ち、取扱者のデータを入力するか、ＩＣタグで通信して、取扱者のデータを入力する。係るデータが入力されない場合には、電磁ロック７８がかかっており、収納できない。このような、取扱者の確認により、備品８１の移動と、備品用ラック７を取扱う取扱者を結びつけることができる。
その後、図８のＳ４２において、図６で説明したように、備品用ラック７のＩＣタグ読取装置７３で読取る。
図８のＳ４３において、備品用ラック７の格納部７２に格納する。このとき、同時にカート６では備品８１がつまみ出されたことをＩＣタグ読取装置６４が読取っており、どのカート６がどのナースステーション４の備品用ラック７に入ったかを認識できる。そして、これらの情報は、カート６、備品用ラック７に備えた無線ＬＡＮ６５、７７により管理センター１のホストコンピュータ１０と通信され、ホストコンピュータ１０の記憶部に格納される。
【００５８】
図８のナースステーション４における処理のうちＳ４４〜Ｓ４６について以下説明する。この処理は備品８１の取り出し作業を示しており、図１（Ｄ）上段、図６のラックへ収納４１の処理に相当する。以下、図６を参照しつつ、説明する。
図８のＳ４４において、図８のＳ４１と同様に取扱者を確認する。
図８のＳ４５において、図８のＳ４３と同様、ＩＣタグ読取装置７３で備品８２を確認する。
図８のＳ４６において、カートに備品８２を取り出す。このときカート６のＩＣタグ読取装置６４は、備品８２が入ったことの確認を行う。
【００５９】
図８のナースステーション４における処理のうちＳ４７〜Ｓ４９について以下説明する。この処理はＩＣタグの回収処理を示しており、図１（Ｄ）下段の精算４８、不足分の発注４９、図７のナースステーションにおけるＩＣタグの回収処理４７の処理に相当する。以下、図７を参照しつつ、説明する。
図８のＳ４７においては、Ｓ４６で備品８１を取り出した後、医療品が使用される。その医療品の使用された事実は、使用される場所、例えば病棟や手術室、診断室において、図示しないＩＣタグ読取装置を置いて追跡することができる。または、ＩＣタグ読取装置廊下に複数設置して、カート６の移動を追跡するものであっても良い。
図８のＳ４８において、図７で説明したように、使用された医療品は、使用済みのＩＣタグ５Ｃが取り外され、回収箱４７１へ回収される。
図８のＳ４９において、回収箱４７１に近接して設けたＩＣタグ読取装置４７２により、そのデータが読取られ、そのデータは、管理センター１のホストコンピュータ１０に送信され、ホストコンピュータ１０内の記憶部に格納される。
【００６０】
なお、図２〜７において、管理センター１と各部署と通信した通信手段は、図示の容易のため、無線ＬＡＮ１０１、３２３、６５、７７、３３１Ａで示したが、カート６の無線ＬＡＮ６５以外は、有線の通信回線や、インターネットであっても良い。また、カート６の無線ＬＡＮ６５も可能な限り、随時有線の通信回線端末に接続するものであっても良い。
また、これら図２〜７において、管理センター１と各部署と通信した通信手段、即ち、無線ＬＡＮ１０１、３２３、６５、７７，４７４、３３１Ａで示した通信回線は、本発明の「通信回線」に相当する。
【００６１】
また、図４のＩＣタグ読取装置３２２、図５のカート６のＩＣタグ読取装置６４、図６のＩＣタグ読取装置７３、図７のＩＣタグ読取装置４７２は、本発明の「ＩＣタグ読取装置」に相当する。
【００６２】
次に、図９を用いて、本実施形態のシステムに係る医療品に付するＩＣタグのコード体系について説明する。図９は、係るＩＣタグのコード体系の例を示すものである。まず、本実施形態の病院内医療品追跡システムでは、図２で説明したＩＣタグ書き込み１２のときには、ＩＣタグ書き込み装置１２１に、図９で示すようなコード体系をもったデータを未登録ＩＣタグ５Ａに書き込んで病院内の医療品等のデータの追跡を行う。具体的には、そのコード体系は、医療品の識別を行うための医療品コード５１と、アルファベットで記録する医療品の名称５２と使用期限または滅菌効果の期限５３と、保険点数５４を少なくとも備えている。
【００６３】
以下、図９の使用期限または滅菌効果の期限５３について説明する。使用期限または滅菌効果の期限５３のうち使用期限は、特に医薬品の使用期限であり、化学変化による変質によって使用できなくなる期限である。また、滅菌効果の期限は、特に医療機器、例えば注射器等の滅菌効果が持続する期間をいう。即ち、このような医療機器は、納入業者２に納入されるときには、滅菌処理がなされているが、その効果が持続する期間が予め実験結果により定められており、その期間を過ぎてしまえば、その医療品は使用できない。滅菌効果の期限は、このような期限をいう。
【００６４】
実際の医療現場では、管理が不十分により、使用期限または滅菌効果の期限５３が切れてしまって、そのような期限切れの医療品が中央資材室３や、ナースステーション４に格納されて、無駄な費用がかかったり、患者に誤って期限切れの医療品を投与したりする危険がありうる。本実施形態のシステムでは、管理センター１、納入業者２、中央資材室３、ナースステーション４のいずれにおいても、使用期限または滅菌効果の期限５３をＩＣタグ５により管理している。特に、中央資材室３、ナースステーション４においては、中央資材室３の入庫処理に用いるＩＣタグ読取装置３２２（前述、図４の説明参照。）、カート６、および備品用ラック７において、係る期限切れの医療品が搬入、搬出される場合には、所定の警告の出力を行う。例えば、部外の警告装置に警告信号を出力したり、ホストコンピュータ１０に送信したり、または、ＩＣタグ読取装置自身がその表示器に警告を表示したり、ブザーを鳴らしたりすることができる。
【００６５】
なお、図９の説明で示した使用期限または滅菌効果の期限５３は、本発明の「医療品の使用期限または医療品の滅菌効果の有効期限の情報」に相当する。
図９で示したコードにより、ＩＣタグをコード化することは、本発明の「医療品の情報をコード化」に相当する。
【００６６】
次に、図１０を用いて、本実施形態の病院内医療品追跡システムに係る使用期限または滅菌効果の期限の管理処理を示す。図１０は係る管理処理を示すフロー図である。この処理の動作主体は、中央資材室３の入庫処理に用いるＩＣタグ読取装置３２２（前述、図４の説明参照。）、カート６、備品用ラック７におけるそれぞれの装置に備えられた制御装置（符号６６、７９、その他は不図示。）である。これらの制御装置は、図２〜８で説明した機能の他に、以下説明する図１０の機能を備えており、それぞれの装置において係る動作を行う。
【００６７】
図１０のＳ５１において、中央資材室３のＩＣタグ読取装置３２２、カート６のＩＣタグ読取装置６４、備品用ラック７のＩＣタグ読取装置７３のいずれかは、登録済みＩＣタグ５Ｂに対し、そのＩＣタグのデータを送信するよう、指示信号を送信する。
図１０のＳ５２において、複数のＩＣタグから同時に、図９で説明したようなデータ構造のＩＣタグのデータを受信する。その中には、使用期限または滅菌効果の期限５３のデータが含まれている。
図１０のＳ５３において、現在の日付を読み出す。この日付の読み出しは、係る図１０のフローを行う装置それぞれに用意していても良く、また、管理センター１内のホストコンピュータ１０と交信することにより、読み出しても良い。
図１０のＳ５４において、Ｓ５２で受信した期限と、Ｓ５３で読み出した日付を比較して、期限超過している医療品があるか、または期限が迫っているかを判断する。この期限が迫っているとは、前述した日付の比較により、その差が予め定めた日数以下になっているかで判断する。超過している、または期限が迫っている場合はＹとなり、Ｓ５５に進む。超過等していなければＮとなり、図１０のフローは終了する。
Ｓ５５において、部外の警告装置に警告信号を出力したり、ＩＣタグ読取装置自身がその表示器に警告を表示したり、ブザーを鳴らしたりすることができる。また、ホストコンピュータ１０に送信して、その期限管理を行う。その後、このフローは終了する。
【００６８】
また、図１０では、図示していないが、管理センター１内のホストコンピュータ１０では、前述図２〜８で説明したように、医療品がどこにあるのかを追跡することができるから、ホストコンピュータ１０から中央資材室３や、備品用ラック７に対し、図４の無線ＬＡＮ３２３、図６の無線ＬＡＮ７７を用いて、その期限切れ情報を送信して、警告を発することが可能である。図示しない中央資材室３や、備品用ラック７の表示器には、その警告を表示することができる。
【００６９】
なお、図１０で示したフローのうちＳ５５の処理は、本発明の「警告出力手段」に相当する。
また、前述の通り、中央資材室３の入庫処理に用いるＩＣタグ読取装置３２２（前述、図４の説明参照。）、カート６、備品用ラック７は、本発明の「病院内医療品追跡用装置」に相当するが、ＩＣタグ読取装置を備えた「病院内医療品追跡用装置」に相当する装置は、これ以外にも、病棟や、手術室、廊下に設けても良い。
【００７０】
次に、図１３を用いて、図８の実施形態のシステムの応用に係る処理のフロー図について説明する。図１３は、このフロー図を表している。基本的には、図８と同様であり、同様の部分の説明は同じ符号を付して省略する。以下、図８との相違点について説明する。図１３のフローで示すシステムは、病院内で完結する病院内医療品追跡システムであり、病院内で働く院内管理業者９がこのシステムの管理を行なっていることが異なる。管理センター１での作業は、検品等のチェック以外は院内管理業者９が行い、未登録ＩＣタグ５Ａに医療品のデータを書き込むこと（図１３のＳ１２）もＩＣタグの貼り付け（図１３のＳ９１）も院内管理業者９が行なう。管理センター１での処理、納入業者２の作業は図８と同様であるが、管理センター１では、発注処理に当たって、登録済みＩＣタグ５Ｂを納入業者２に渡すことはしない。またＩＣタグの貼り付けを行なわず、納品（図１３のＳ２３）が行なわれる。そして、院内管理業者９が、中央資材室３でＩＣタグを貼り付ける（管理センター１で行なってもよい。）。その後、Ｓ９２において、院内管理業者９は、ＩＣタグが貼り付けられた医療品についてＩＣタグを読取り、中央資材室に入庫する旨のデータ送信を行なう。その後、院内管理業者９は、備品ラックへ収納する（図１３のＳ３３）。その後の動作フローは、図８と同様である。
【００７１】
なお、図１３のシステムにおいて、病院内の要求に応じて、備品ラックへ収納せずに直ちに、ナースステーション４や、医療現場に搬入する実施形態も考えられる。
【００７２】
次に、図１４を用いて、図８の実施形態のシステムの応用に係る処理のフロー図について説明する。図１４は、このフロー図を表している。基本的には、図８と同様であり、同様の部分の説明は同じ符号を付して省略する。以下、相違点について説明する。図１４のフローで示すシステムは、納入業者２が許可認証カードを借りて、直接病院内の所定の各現場に配送する場合の病院内医療品追跡システムの実施形態であり、中央資材室３に入庫しないこと等が異なる。まず、管理センター１での処理は図８のフローと同様、病院内の事務員が行なう。または、図１３のフローと同様、院内管理業者９が行なってもよい。図１４のシステムでは、図８のシステムと同様、管理センター１でのＳ１３の処理においては、納入業者２に対して、登録済みＩＣタグ５Ｂを渡す（この点、図１３のシステムとは異なる。）。そして、Ｓ２４で納入業者２により納品確認が行なわれ、納品された医療品は、病院側の事務員によりチェックがなされる。その後、図８のシステムと異なり、納入業者２が直ちにナースステーション４に備品を搬入する。ナースステーション４では、納入業者２が図６で示した備品用ラック７に取扱者のデータを入力して搬入する（図１４のＳ４１〜Ｓ４３）。または、看護婦が備品を受け付け、その指示により、備品用ラック７に備品用ラック７を搬入しても良い。さらに、図１４に示すように、医療現場に直接搬入して医療品を使用する形態であってもよい（Ｓ４７）。
【図面の簡単な説明】
【００７３】
【図１】本実施形態の病院内医療品追跡システムに係る医療品の流通に関係する主な場所における役割を表した図を示す。
【図２】本実施形態の病院内医療品追跡システムの医療品の追跡手段について、管理センターにおける処理を示す。
【図３】本実施形態の病院内医療品追跡システムの医療品の追跡手段について、納入業者２における処理を示す。
【図４】本実施形態の病院内医療品追跡システムの医療品の追跡手段について、中央資材室における入庫処理を示す。
【図５】本実施形態の病院内医療品追跡システムの医療品の追跡手段について、中央資材室におけるピッキング処理を示す。
【図６】本実施形態の病院内医療品追跡システムの医療品の追跡手段について、ナースステーションにおける備品のラックへの搬入処理、ラックからの搬出処理を示す。
【図７】本実施形態の病院内医療品追跡システムの医療品の追跡手段について、ナースステーションにおけるＩＣタグの回収処理を示す。
【図８】本実施形態の病院内医療品追跡システムの医療品の追跡手段について、図２〜図７の処理をまとめたフロー図を示す。
【図９】本実施形態のシステムに係る医療品に付するＩＣタグのコード体系の例を示す。
【図１０】本実施形態の病院内医療品追跡システムに係る使用期限または滅菌効果の期限の管理処理を表すフロー図を示す。
【図１１】本実施形態の病院内医療品追跡システムに係るカート、整理棚の内部構成図を示す。
【図１２】本実施形態の病院内医療品追跡システムに係る備品用ラックの内部構成図を示す。
【図１３】図８の実施形態のシステムの応用に係る処理のフロー図を示す。
【図１４】本実施形態の病院内医療品追跡システムの医療品の追跡手段について、図８の実施形態のシステムの応用に係る処理のフロー図を示す。
【符号の説明】
【００７４】
１−管理センター
１０−ホストコンピュータ
１０１−無線ＬＡＮ
１１−オーダ受付
１１２−受注データ
１２−ＩＣタグ書き込み
１２１−ＩＣタグ書き込み装置
１３−発注処理
１３１−発注の送信
１３２−発注書の発行
１３３−発注用封筒
２−納入業者
２１−受注処理
２１１−発注書
２２−ＩＣタグ組み付け＆包装＆梱包
２２１−包装袋
２２２−注射器
２３−医療品の発送
３−中央資材室
３０−中央資材室における入庫処理
３１−中央資材室への入庫
３１１−トラック
３２−ＩＣタグ読取
３２１−読取信号の送受信
３２２−ＩＣタグ読取装置
３２３−無線ＬＡＮ
３３−備品棚へのストック
３３１−備品棚
３３１Ａ−無線ＬＡＮ
３３１Ｂ−制御装置
３３１Ｃ−ランプ＆ブザー
３４−中央資材室におけるピッキング処理
３５−カートによるピッキング＆収集
３６−ＩＣタグ読取＆照合
３６１−読取信号の送受信
３７−ナースステーションへの搬送
３８−不足分の発注
４−ナースステーション
４０−ナースステーションにおける備品の収納、取り出し処理
４１−ラックへ収納
４１１−読取信号の送受信
４４−ラックから取り出し
４４１−読取信号の送受信
４７−ナースステーションにおけるＩＣタグの回収処理
４７１−回収箱
４７２−ＩＣタグ読取装置
４７３−読取信号の送受信
４７４−無線ＬＡＮ
４８−精算
４９−不足分の発注
５Ａ−未登録ＩＣタグ
５Ｂ−登録済みＩＣタグ
５Ｃ−使用済みのＩＣタグ
５１−医療品コード
５２−名称（アルファベット）
５３−使用期限または滅菌効果の期限
５４−保険点数
６−カート
６１−液晶表示器
６２−かご
６３−台車
６４−ＩＣタグ読取装置
６５−無線ＬＡＮ
６６−制御装置
６６１−出入れ監視機能
６６２−表示器出力機能
６６３−チェック機能
６６４−誘導機能
６７−操作部
６８−警報機
７−備品用ラック
７１−扉
７２−格納部
７３−ＩＣタグ読取装置
７４−送受信部
７５−表示器
７６−データ読取部
７６１−取扱者入力機能
７６２−操作部
７７−無線ＬＡＮ
７８−電磁ロック
７９−制御装置
７９１−取扱者チェック機能
７９２−出入れ監視機能
７９３−表示器出力機能
８−梱包箱
８１−備品
８２−備品
９−院内管理業者
【図１】
2007106557.tif 000003
【図２】
2007106557.tif 000004
【図３】
2007106557.tif 000005
【図４】
2007106557.tif 000006
【図５】
2007106557.tif 000007
【図６】
2007106557.tif 000008
【図７】
2007106557.tif 000009
【図８】
2007106557.tif 000010
【図９】
2007106557.tif 000011
【図１０】
2007106557.tif 000012
【図１１】
2007106557.tif 000013
【図１２】
2007106557.tif 000014
【図１３】
2007106557.tif 000015
【図１４】
2007106557.tif 000016